(57)【要約】【課題】無線通信システムにおいて、基地局の無線ゾーン間移動時の通信中断時間を短くする通話路形成方法を提供すること。【解決手段】通話開始時の移動体の位置と移動先との間の連続する無線ゾーン４ａ，４ｄ，４ｇの各基地局３ａ，３ｄ，３ｇへの通話路を通話開始時に予め形成し、無線ゾーン４ａ，４ｄ，４ｇの各基地局３ａ，３ｄ，３ｇで使用する無線周波数を移動体の無線機５に予め通知し、移動体が現在の無線ゾーン４ａから次の無線ゾーン４ｄに移るときに現在の基地局３ａの無線周波数を通知されている次の無線ゾーン４ｄの基地局３ｄの無線周波数に変更する。【選択図】  図２
2004289351.tif 000002
【特許請求の範囲】
【請求項１】
無線ゾーンを持つ複数の基地局を有し、移動体に搭載した無線機の通話路を該移動体が存在する無線ゾーンの基地局を経由して設定する無線通信システムにおける通話路形成方法であって、通話開始時の移動体の位置と移動先との間の連続する無線ゾーンの各基地局への通話路を通話開始時に予め形成し、該各基地局で使用する無線周波数を上記無線機に予め通知し、上記移動体が現在の無線ゾーンから次の無線ゾーンに移るときに現在の基地局の無線周波数を、通知されている次の無線ゾーンの基地局の無線周波数に切り替えることを特徴とする通話路形成方法。
【発明の詳細な説明】
【０００１】
【発明の属する技術分野】
本発明は、無線通信システムに係り、特に移動体の無線機が基地局の無線ゾーンの間を移動しながら通信を行なう場合の通話路形成方法に関する。
【０００２】
【従来の技術】
車両等の移動体に搭載した無線機が基地局の無線ゾーンの間を移動しながら通信を行なう無線通信システムにおいては、通信中に移動体が現基地局の無線ゾーンから隣接する次基地局の無線ゾーンに移動するときに通信を継続することが要求される。
【０００３】
従来の基地局間移動の方式として、移動体の無線機が現基地局とそれに隣接する次基地局からの受信信号の強度を検出し、これを基地局経由で中央制御装置に通知し、中央制御装置が通知に応じて無線機と通信を行なう基地局を変更して、通話路を設定する方式がある。この方式の例を図４から図６を用いて説明する。
【０００４】
複数の基地局３は、それぞれ無線ゾーン４を有しており、中央制御装置１に接続されている。また、通信装置２が中央制御装置１に接続されており、通信装置２と移動体無線機５との間の通話路が基地局３経由で形成され、通信が行なわれる。
【０００５】
いま、図４に示すように、移動体無線機５が基地局３ａの無線ゾーン４ａ内に居て通信を開始するとき、移動体無線機５は基地局３ａと通信を行ない、続いて中央制御装置１は無線機５と通信装置２の間の通話路を基地局３ａ経由で設定する。これによって無線機５と通信装置２との間で通信が可能になる。
【０００６】
この状態から、移動体が例えば基地局３ｄの無線ゾーンに移動すると、図５に示すように移動体の無線機５は基地局３ｄと通信を行ない、中央制御装置１は無線機５と通信装置２の間の通話路を基地局３ｄ経由で設定する。これによって無線機５と通信装置２との間で通信が継続される。
【０００７】
基地局間を移動するときの処理シーケンスは例えば、図６に示す通りである。この方式では、移動体無線機５が基地局３ａ及び中央制御装置１経由で通信装置２と音声等により通信を行なっているときに、移動体無線機５は、常時、基地局３ａから受ける受信信号の強度を検出し、その強度が閾値以下になったか否かを監視している。閾値以下になったとき、無線機５は、受信する電波の周波数をサーチ（探索）し、サーチの結果、次基地局３ｄの受信信号を受信することができたら、基地局３ｄに接続変更の要求を出す。要求は中央制御装置１に送られ、中央制御装置１が接続変更の指示を基地局３ｄ経由で無線機５に送る。無線機５は、通信を行なうための無線周波数を基地局３ｄの無線周波数に変更して基地局３ｄと通信を行ない、同時に中央制御装置１は、通話路変更を行なう。その結果無線機５は、次基地局３ｄ及び中央制御装置１経由で通信装置２と通信を行なうことができる。
【０００８】
【発明が解決しようとする課題】
前述した従来の無線通信システムの中に、基地局の無線ゾーン間を移動する場合の通話路変更の処理に時間を要するシステムがあり、その場合は、通信中断時間が長くなる。長い通信中断は、重要な通信を行なっているときに特に問題になる。
【０００９】
本発明の目的は、従来技術の上記課題を解決し、基地局の無線ゾーン間移動時の通信中断時間を短くする通話路形成方法を提供することにある。
【００１０】
【課題を解決するための手段】
上記目的を達成するため、本発明の通話路形成方法は、通話開始時の移動体の位置と移動先との間の連続する無線ゾーンの各基地局への通話路を通話開始時に予め形成し、上記連続する無線ゾーンの各基地局で使用する無線周波数を無線機に予め通知し、移動体が現在の無線ゾーンから次の無線ゾーンに移るときに現在の基地局の無線周波数を通知されている次の無線ゾーンの基地局の無線周波数に切り替えることを特徴とする。
【００１１】
移動体が現在の無線ゾーンから次の無線ゾーンに移るときに既に通話路が形成されており、更に、切り替える無線周波数が既に知らされているので、次の無線周波数を探る処理や通話路設定の処理を伴わずに基地局切替が行なわれる。従って、基地局の無線ゾーン間移動時の通信中断時間を極めて短くすることが可能になる。
【００１２】
【発明の実施の形態】
以下、本発明に係る無線通信システムにおける通話路形成方法を図面に示した発明の実施の形態を参照して更に詳細に説明する。
【００１３】
図１及び図２に示すように、複数の基地局３ａ〜３ｇはそれぞれ無線ゾーン４ａ〜４ｇを有しており、中央制御装置１に接続されている。また、通信装置２が中央制御装置１に接続されており、移動体無線機５との通信が可能である。
【００１４】
ここでは、移動体無線機５が基地局３ａの無線ゾーン４ａ内に居て、通信装置２との通信を開始し、移動体の移動先が基地局３ｇの無線ゾーン４ｇ内である場合を採り上げる。図１に示すように、移動体の無線機５は、まず基地局３ａと通信を開始する。
【００１５】
このとき、移動体の無線機５は、通信を開始する基地局３ａから中央制御装置１に基地局３ａの無線ゾーン４ａから出発し、基地局３ｄの無線ゾーン４ｄを通って基地局３ｇの無線ゾーン４ｇに向かうことを知らせる。無線ゾーン４ａ，４ｄ，４ｇは連続してつながっている。知らせを受けた中央制御装置１は、基地局３ａ、基地局３ｄ及び基地局３ｇと通信装置２とを通話路接続する。これにより、それらの内のどの基地局に決定しても移動体の無線機５と通信装置２との間で直ちに通信が可能の状態になる。
【００１６】
また、中央制御装置１は、通信開始時に移動体の無線機５に対して基地局３ｄ及び基地局３ｇで使用する無線周波数を通知する。
【００１７】
この状態から、移動体が次に基地局３ｄの無線ゾーン４ｄの方に移動すると、無線ゾーン３ａ，３ｄの中間で、図２に示すように、移動体の無線機５は知っている基地局４ｄの無線周波数に切り替えて基地局４ｄと通信を行なう。一方、基地局４ｄは上述のように既に通信装置２と接続されており、従って通話路の変更は行なわれない。
【００１８】
このように基地局間を移動体が移動するときの処理シーケンスは例えば、図３に示す通りである。移動体無線機５が基地局３ａ及び中央制御装置１経由で通信装置２と音声等により通信を行なっているときに、移動体無線機５は、常時、基地局３ａから受けている受信信号の強度を検出し、その強度が閾値以下になったか否かを監視している。閾値以下になったときに、無線機５は、受信する電波の周波数を既に知っている次基地局３ｄの無線周波数に変更し、その周波数で受信信号を受信することができてから次基地局３ｄと通信を行なう。基地局３ｄは既に通信装置２と接続されているので、無線機５と通信装置２との通信が継続して行なわれる。
【００１９】
この方法での通信中断時間は、無線機５が既に知っている無線周波数に切り替えるときに発生するだけであり、極めて短くすることができる。このように、本実施形により、次基地局の信号を受信すると直ちに次基地局と通信することが可能になる。
【００２０】
【発明の効果】
本発明によれば、基地局間を移動したときの処理が簡易であり、その結果基地局間移動時の通話中断時間を短くすることができる。
【図面の簡単な説明】
【図１】本発明に係る無線通信システムの通話路形成方法の発明の実施の形態を説明するための構成図。
【図２】本発明の実施の形態を説明するための別の構成図。
【図３】本発明の実施の形態における処理を説明するためのフロー図。
【図４】従来の無線通信システムの通話路形成方法を説明するための構成図。
【図５】従来の無線通信システムの通話路形成方法を説明するための別の構成図。
【図６】従来の無線通信システムの通話路形成方法における処理を説明するためのフロー図。
【符号の説明】
１…中央処理装置、２…通信装置、３…基地局、４…基地局の無線ゾーン、５…移動体無線機。
【図１】
2004289351.tif 000003
【図２】
2004289351.tif 000004
【図３】
2004289351.tif 000005
【図４】
2004289351.tif 000006
【図５】
2004289351.tif 000007
【図６】
2004289351.tif 000008